(57)【要約】【課題】表面側から荷重がかかっても割れにくくすることができる屋根材を提供する。【解決手段】基板１の棟側端部を棟側重ね部２として形成すると共に基板１の軒側端部を軒側重ね部３として形成する。基板１の棟側重ね部２の上に他の基板１に形成した軒側重ね部３を重ねるようにして軒棟方向に接続しながら屋根下地４の上に載設される屋根材Ａに関する。基板の棟側端面よりも軒側の位置で棟側重ね部２の裏面に踏み割れ防止脚５を設ける。踏み割れ防止脚５を屋根下地４に載置することにより、棟側重ね部２との間で基板１を支持することができ、基板１の支持間距離を短くして表面側から荷重がかかっても割れにくくすることができる。【選択図】図１
2008163679.tif 000002
【特許請求の範囲】
【請求項１】
基板の棟側端部を棟側重ね部として形成すると共に基板の軒側端部を軒側重ね部として形成し、基板の棟側重ね部の上に他の基板に形成した軒側重ね部を重ねるようにして軒棟方向に接続しながら屋根下地の上に載設される屋根材において、基板の棟側端面よりも軒側の位置で棟側重ね部の裏面に踏み割れ防止脚を設けて成ることを特徴とする屋根材。
【請求項２】
基板の軒側端部に前垂れ部を形成し、前垂れ部よりも棟側の位置で軒側重ね部の裏面に支持脚を形成し、支持脚は棟側重ね部と軒側重ね部とを重ねた状態で棟側重ね部との間で隙間が形成される高さに形成されると共に基板が撓むことにより棟側重ね部に接地可能であることを特徴とする請求項１に記載の屋根材。
【請求項３】
基板の棟側重ね部の表面に、基板が撓むことにより支持脚が接地可能な立ち上げ部を設けて成ることを特徴とする請求項２に記載の屋根材。
【請求項４】
基板の裏面の軒棟方向の略中央部に補助脚を形成し、補助脚は平場に置かれた状態で平場に接触する高さに形成して成ることを特徴とする請求項１乃至３のいずれか１項に記載の屋根材。
【請求項５】
請求項１乃至４のいずれかに記載の複数枚の屋根材を屋根下地の上に載設し、屋根材の棟側重ね部の上に他の屋根材に形成した軒側重ね部を重ねるようにして軒棟方向に接続して成ることを特徴とする屋根。
【発明の詳細な説明】
【技術分野】
【０００１】
本発明は、セメント等の無機質材料を主成分とする屋根材及びそれを用いた屋根に関するものである。
【背景技術】
【０００２】
図１２に略平板状で立体形状の屋根材Ａを施工した屋根を示す。このような屋根材Ａは通常、図１３（ａ）〜（ｃ）に示すように、前垂れ部を軒側に配置された下側の屋根材Ａの後端上部（棟側端部の上）に重ね合わされて施工される。尚、図１３（ａ）〜（ｃ）に示すように、軒棟方向に隣接する屋根材Ａ、Ａの重ね代Ｌは、４０〜１００ｍｍの間で適宜設定可能である。
【０００３】
上記のように屋根材Ａは、下側の屋根材Ａに重ねられた前垂れ部と、野地などの屋根下地（通常、屋根下地の表面にはルーフィングが貼られて敷設されている）に載置された棟側端部（後端部）とで支えられており、支持間距離が長くなっている。そのために、施工時や改修時、アンテナ等の設置時などに人が屋根材Ａの上に乗った場合に、荷重のモーメントが大きくなり割れやすいという問題があった。このような問題を解決するために、例えば、特許文献１では屋根材の裏面に肉厚のプレートを設けることが提案されているが、重量が増加するという問題があり、また、屋根材が大型化した場合には上記問題を解決できないものであった。
【特許文献１】特開２００４−３５２４６号公報
【発明の開示】
【発明が解決しようとする課題】
【０００４】
本発明は上記の点に鑑みてなされたものであり、表面側から荷重がかかっても割れにくくすることができる屋根材及びそれを用いた屋根を提供することを目的とするものである。
【課題を解決するための手段】
【０００５】
本発明の請求項１に係る屋根材Ａは、基板１の棟側端部を棟側重ね部２として形成すると共に基板１の軒側端部を軒側重ね部３として形成し、基板１の棟側重ね部２の上に他の基板１に形成した軒側重ね部３を重ねるようにして軒棟方向に接続しながら屋根下地４の上に載設される屋根材Ａにおいて、基板１の棟側端面よりも軒側の位置で棟側重ね部２の裏面に踏み割れ防止脚５を設けて成ることを特徴とするものである。
【０００６】
本発明の請求項２に係る屋根材Ａは、請求項１において、基板１の軒側端部に前垂れ部７を形成し、前垂れ部７よりも棟側の位置で軒側重ね部３の裏面に支持脚８を形成し、支持脚８は棟側重ね部２と軒側重ね部３とを重ねた状態で棟側重ね部２との間で隙間６が形成される高さに形成されると共に基板１が撓むことにより棟側重ね部２に接地可能であることを特徴とするものである。
【０００７】
本発明の請求項３に係る屋根材Ａは、請求項２において、基板１の棟側重ね部２の表面に、基板１が撓むことにより支持脚８が接地可能な立ち上げ部９を設けて成ることを特徴とするものである。
【０００８】
本発明の請求項４に係る屋根材Ａは、請求項１乃至３のいずれかにおいて、基板１の裏面の軒棟方向の略中央部に補助脚１０を形成し、補助脚１０は平場に置かれた状態で平場に接触する高さに形成して成ることを特徴とするものである。
【０００９】
本発明の請求項５に係る屋根は、請求項１乃至４のいずれかに記載の複数枚の屋根材Ａ、Ａ…を屋根下地４の上に載設し、屋根材Ａの棟側重ね部２の上に他の屋根材Ａに形成した軒側重ね部３を重ねるようにして軒棟方向に接続して成ることを特徴とするものである。
【発明の効果】
【００１０】
請求項１の発明では、踏み割れ防止脚５を屋根下地４に載置することにより、踏み割れ防止脚５と棟側重ね部２との間で基板１を支持することができ、基板１の最も棟側の位置と最も軒側の位置とで基板１を支持する場合に比べて、基板１の支持間距離を短くすることができて表面側から荷重がかかっても割れにくくすることができるものである。
【００１１】
請求項２の発明では、前垂れ部７よりも棟側に支持脚８を設けることにより、表面側から荷重がかかった際に基板１が撓んで割れる前に支持脚８が棟側重ね部２に接地することができ、表面側から荷重がかかっても割れにくくすることができるものである。
【００１２】
請求項３の発明では、立ち上げ部９により棟側重ね部２と軒側重ね部３との重ね部分から雨水の浸入を防止することができ、防水性を高くすることができるものである。
【００１３】
請求項４の発明では、平場に置かれた状態で基板１の略中央部分を補助脚１０で支持することができ、施工前等に表面側から荷重がかかっても割れにくくすることができるものである。
【００１４】
請求項５の発明では、請求項１乃至４のいずれかに記載の複数枚の屋根材Ａ、Ａ…を屋根下地４の上に載設し、屋根材Ａの棟側重ね部２の上に他の屋根材Ａに形成した軒側重ね部３を重ねるようにして軒棟方向に接続して成ることを特徴とするものである。
【発明を実施するための最良の形態】
【００１５】
以下、本発明を実施するための最良の形態を説明する。
【００１６】
本発明において、屋根材Ａは適宜の材質にて形成することができるが、例えばセメント系成形材料を成形し、養生硬化することで形成することができる。このとき、セメント系成形材料としてセメントと水とスチレンモノマー等の油性成分とを主成分とするセメント含有逆エマルション組成物からなるものを用いることが好ましい。このようなセメント系成形材料は保形性が高く、立体的な形状を有する屋根材Ａの作製に好適に用いることができる。このセメント系成形材料は、まず乳化剤、スチレンモノマー、水、架橋剤、重合開始剤を混合して逆エマルション（Ｗ／Ｏエマルション）を調製し、次に、この逆エマルションにセメント、軽量化剤、補強繊維を加えて強制攪拌機又は連続混合機で混合することによって得ることができる。セメントとしては、特に制限されるものではないが、ポルトランドセメント、フライアッシュセメント、高炉セメント、アルミナセメント、ハイアルミナセメント、スラグセメント、早強セメント等を用いることができ、また一種単独で用いたり、二種以上を併用したりすることができる。また、軽量化材としては、例えばフライアッシュバルーン、パーライト、シラスバルーン等のほか、アクリロニトリル発泡体、発泡ポリスチレン、ポリ塩化ビニリデン発泡体等の有機発泡体等を用いることができ、補強繊維としては、例えばポリプロピレン繊維、アクリル繊維、ビニロン繊維等を用いることができる。乳化剤としては、例えば、オレイン酸系乳化剤、ヤシ油系乳化剤、ソルビタンセスキオレート、グリセロールモノステアレート、ソルビタンモノオレート、ジエチレングリコールモノステアレート、ソルビタンモノステアレート、ジグリセロールモノオレート等の非イオン性界面活性剤、各種アニオン系界面活性剤、カチオン系界面活性剤等を用いることができる。架橋剤としては、例えばトリメチロールプロパントリメタクリレート等を用いることができる。重合開始剤としては、有機過酸化物や過硫酸塩等の重合開始剤、例えばｔ−ヘキシルパーオキシ−２−エチルヘキサノエート等を用いることができる。逆エマルション全量に対して、乳化剤の含有量は２．０〜５．０重量％、スチレンモノマーの含有量は８．０〜１７．０重量％、水の含有量は７７．０〜８９．０重量％、架橋剤の含有量は０．０４〜０．６重量％、重合開始剤の含有量は０．０４〜０．６重量％に設定することができる。また、セメント系成形材料全量に対して、セメントの含有量は７０〜９９重量％、軽量化材の含有量は０．３〜３０重量％、補強繊維の含有量は１．０〜２．０重量％に設定することができる。次に、上記のセメント含有逆エマルション組成物をセメント系成形材料として用い、注型法、押出成形法、射出成形法、プレス成形法等の適宜の方法で成形し、例えば８０〜１００℃で６〜１５時間蒸気養生することで、屋根材Ａを得ることができる。
【００１７】
本発明の屋根材Ａは、図２に示すように、矩形板状の基板１の表面に傾斜方向の異なる複数の傾斜面２２、２２…を設けて形成されている。また、基板１の一方の側端部には側部重ね受け部１５が突設されていると共に基板１の他方の側端部は側部重ね部１６として形成されている。また、基板１の棟側端部は棟側重ね部２として形成されていると共に基板１の軒側端部は軒側重ね部３として形成されている。また、図３、４、５、７に示すように、基板１の軒側端部には前垂れ部７が下方（基板１の裏面側）に突出して基板１の幅方向の全長にわたって形成されている。前垂れ部７の棟側において基板１の軒側重ね部３には下方に突出する支持脚８が設けられている。支持脚８は基板１の幅方向に複数個並べて設けられている。また、図５、８に示すように、支持脚８の棟側において、基板１の裏面の略中央部には下方に突出する補助脚１０が設けられている。補助脚１０は基板１の幅方向に複数個並べて設けられている。また、補助脚１０は側部重ね受け部１５の裏面にも設けられている。基板１の棟側端面よりも軒側で補助脚１０の棟側において棟側重ね部２の裏面には踏み割れ防止脚５が下方に突出して設けられている。踏み割れ防止脚５は基板１の幅方向に複数個並べて設けられている。また、踏み割れ防止脚５の下端は基板１の棟側端部の裏面よりも下側に位置している。踏み割れ防止脚５よりも棟側において基板１の棟側重ね部２の表面には立ち上げ部９が上方に突出して設けられている。立ち上げ部９は基板１の幅方向の全長にわたって形成されている。
【００１８】
そして、上記のように形成される屋根材Ａは野地板などの屋根下地（通常、屋根下地の表面にはルーフィングが貼られて敷設されている）４の上に載置して、棟側重ね部２及び側部受け重ね部１５を釘等で固定するようにして施工されるものである。そして、図１０に示すように、屋根下地４上で複数枚の屋根材Ａ、Ａ…を軒棟方向（屋根の傾斜方向）とそれに直交する方向とに縦横に並べて施工することにより屋根を形成することができる。ここで、軒棟方向と直交する方向に隣接する屋根材Ａ、Ａは、一方の屋根材Ａの側部重ね受け部１５の上に他方の屋根材Ａの側部重ね部１６を重ねるようにして接続される。また、図１に示すように、軒棟方向に隣接する屋根材Ａ、Ａでは、軒側に配置された屋根材Ａの棟側重ね部２の上に、棟側に配置された屋根材Ａの軒側重ね部３を重ねるようにして接続されるが、このとき、棟側に配置された屋根材Ａの軒側重ね部３は、軒棟方向と直交する方向に隣接する屋根材Ａ、Ａの両方の棟側重ね部２、２に跨るようにして配置される。そして、棟側に配置された屋根材Ａの軒側端部の略中央部の表面に設けた位置決めマーク１９と、軒棟方向と直交する方向に隣接する屋根材Ａ、Ａの接続部分Ｂとが軒棟方向で一直線上に並ぶようにしている。このようにして複数枚の屋根材Ａ、Ａ…を千鳥配置するようにして屋根を形成している。
【００１９】
上記のようにして棟側重ね部２の上に軒側重ね部３を重ねたとき、立ち上げ部９よりも軒側において棟側重ね部２の上に前垂れ部７が載置されるものであり、また、踏み割れ防止脚５が屋根下地４の上に載置されるものであり、また、立ち上げ部９の上方に支持脚８が位置されるものである。そして、図９に示すように、この通常の施工状態では支持脚８と立ち上げ部９との間には隙間６が形成される。基板１の表面に荷重がかかった場合には、前垂れ部７と踏み割れ防止脚５とにより基板１を支持することができ、表面側から荷重がかかっても割れにくくすることができる。また、より大きな荷重がかかっても、基板１が裏面側に撓んで割れる前に支持脚８が立ち上げ部９の表面（上面）に接地することで、基板１の支持間距離がより短くなるために、より割れにくくすることができるものである。支持脚８の高さ寸法（基板１の表面からの突出長さ）は、基板１の撓み量や立ち上げ部９の高さ寸法に応じてを設定することができる。
【００２０】
なお、表面側から荷重がかかった時のみ、支持脚８が接地するように設定することにより、屋根下地４に不陸等が生じていた場合でも前垂れ部７と棟側重ね部２の表面との間に目透きが発生しにくく、防水性の悪化を防止することができるものである。
【００２１】
また、本発明では、施工現場等で施工前の屋根材Ａを平場に置いた状態で表面に荷重がかかった場合には、基板１の裏面の軒棟方向の略中央部に形成された補助脚１０が平場に接触しているため割れないようにすることができる。このためには、補助脚１０の高さ寸法（基板１の裏面からの突出長さ）は、補助脚１０の下端と踏み割れ防止脚５の下端と前垂れ部７の下端とがほぼ同じ高さ位置になるように設定することができる。
【００２２】
図１１（ａ）に補修クリップ３０を用いた屋根材Ａの取付構造を示す。補修クリップ３０は、図１１（ｂ）（ｃ）に示すように、屋根下地４に釘打ち等で固定される基板部３１と屋根材Ａの棟側端部に係止する係止部３３、３４とで構成されている。この補修クリップ３０は一部の屋根材Ａを新しい屋根材Ａに取り替えて屋根を補修する際に、新しい屋根材Ａを屋根下地４に取り付けるために用いるものである。
【図面の簡単な説明】
【００２３】
【図１】本発明の屋根の一例を示す一部の断面図である。
【図２】本発明の屋根材の一例を示す平面図である。
【図３】同上の底面図である。
【図４】（ａ）は同上の右側面図、（ｂ）は同上の左側面図である。
【図５】（ａ）は同上の図２におけるＡ−Ａ断面図、（ｂ）は同上の図２におけるＢ−Ｂ断面図である。
【図６】（ａ）は同上の正面図、（ｂ）は同上の背面図、（ｃ）は同上の図２におけるＣ−Ｃ断面図である。
【図７】同上の一部を示す断面図である。
【図８】同上の一部を示す断面図である。
【図９】同上の施工状態の一部を示す断面図である。
【図１０】同上の施工状態の一部を示す平面図である。
【図１１】同上の他の実施の形態を示し、（ａ）は断面図、（ｂ）（ｃ）は補助クリップを示す斜視図である。
【図１２】従来例を示す一部の斜視図である。
【図１３】従来例を示す一部の概略図である。
【符号の説明】
【００２４】
Ａ  屋根材
１  基板
２  棟側重ね部
３  軒側重ね部
４  屋根下地
５  踏み割れ防止脚
６  隙間
７  前垂れ部
８  支持脚
９  立ち上げ部
１０  補助脚 
【図１】
2008163679.tif 000003
【図２】
2008163679.tif 000004
【図３】
2008163679.tif 000005
【図４】
2008163679.tif 000006
【図５】
2008163679.tif 000007
【図６】
2008163679.tif 000008
【図７】
2008163679.tif 000009
【図８】
2008163679.tif 000010
【図９】
2008163679.tif 000011
【図１０】
2008163679.tif 000012
【図１１】
2008163679.tif 000013
【図１２】
2008163679.tif 000014
【図１３】
2008163679.tif 000015